(57)【要約】【課題】動画撮影中に撮影された静止画を判別でき、かつ、動画撮影中に撮影された静止画の撮影タイミングを判別できるようにしたカメラ装置を提供する。【解決手段】本発明の一実施形態に係るカメラ装置１は、動画データおよび静止画データを生成する画像データ生成手段１００〜１０２と、動画および静止画を表示する画像表示手段１１０とを備える。このカメラ装置１は、動画撮影中に撮影された静止画データと動画データとの対応およびそれぞれの生成タイミングを特定可能な撮影管理情報を、動画データを含む動画ファイルおよび静止画データを含む静止画ファイルにそれぞれ書き込む撮影管理情報書込手段１１１と、撮影管理情報に基づいて、画像データに応じた画像と静止画データに応じた静止画とを区別可能にして画像表示手段１１０に表示させる表示制御手段１１１とを有することを特徴とする。【選択図】図１
2008010979.tif 000002
【特許請求の範囲】
【請求項１】
光学画像を取込み、動画データおよび静止画データを生成する画像データ生成手段と、該画像データ生成手段により生成された前記動画データに応じた動画および前記静止画データに応じた静止画を表示する画像表示手段とを備えるカメラ装置であって、
前記画像データ生成手段により生成されている前記動画データから前記静止画データが動画撮影中に撮影された動画中静止画データとして取り出されたときに、前記動画データと前記動画中静止画データとの対応を示し、前記動画データおよび前記動画中静止画データそれぞれの生成タイミングを特定可能な撮影管理情報を、前記動画データを含む動画ファイルおよび前記動画中静止画データを含む静止画ファイルにそれぞれ書き込む撮影管理情報書込手段と、
前記動画ファイルおよび前記静止画ファイルに書き込まれた前記撮影管理情報に基づいて、前記画像データに応じた動画と前記動画中静止画データに応じた静止画とを区別可能にして前記画像表示手段に表示させる表示制御手段と、を有することを特徴とするカメラ装置。
【請求項２】
前記表示制御手段は、前記動画データが複数の動画チャプターに分割されているときに、前記各動画チャプターを特定するためのチャプター表示と前記動画中静止画データを特定するための静止画表示とを前記画像表示手段に表示させることを特徴とする請求項１記載のカメラ装置。
【請求項３】
前記表示制御手段は、前記撮影管理情報に基づいて、前記動画データの生成時間中における前記動画中静止画データの生成タイミングを特定可能なタイミング特定表示を前記画像表示手段に表示させることを特徴とする請求項１または２記載のカメラ装置。
【請求項４】
前記画像表示手段に表示されている前記チャプター表示に基づいて、いずれかの前記動画チャプターが選択されたときに、該選択された前記動画チャプターに応じた動画を一時停止状態で再生させる画像再生制御手段を更に備えることを特徴とする請求項２または３記載のカメラ装置。
【請求項５】
前記画像表示手段に表示されている前記静止画表示に基づいて、いずれかの前記動画中静止画データが選択されたときに、該選択された前記動画中静止画データの生成タイミングに応じた動画を再生させる画像再生制御手段を更に備えることを特徴とする請求項２または３記載のカメラ装置。
【請求項６】
前記表示制御手段は、前記動画中静止画データに応じた静止画を前記画像表示手段に表示させるときに、前記静止画ファイルに書き込まれた前記撮影管理情報に対応する対応動画ファイルに関する動画ファイル関連情報を前記画像表示手段に表示させることを特徴とする請求項１〜５のいずれか一項記載のカメラ装置。
【発明の詳細な説明】
【技術分野】
【０００１】
本発明は、動画および静止画を撮影できるカメラ装置に関するものである。
【背景技術】
【０００２】
従来から、被写体の光学画像を静止画（静止画像）または動画（動画像）として取込み、撮影した画像を画像データに変換して電子的に保存するカメラ装置（電子カメラ装置ともいう）が知られている。従来のカメラ装置には、静止画の撮影を主体とするデジタルカメラと、動画の撮影を主体とするビデオカメラとがある。
【０００３】
デジタルカメラ、ビデオカメラのいずれについても従来から様々なものが普及しているが、中には、動画撮影中に静止画も撮影することができるカメラ装置がある。例えば、特許文献１には、動画撮影中に静止画を撮影することができ、その動画再生中に、その静止画撮影タイミングを含む前後の再生期間に静止画マークを表示させるカメラ装置が開示されている。
【特許文献１】特開２００４−３０４４２５号公報
【発明の開示】
【発明が解決しようとする課題】
【０００４】
ところで、動画撮影中に静止画も撮影することができるカメラ装置の多くは、どの静止画が動画撮影中に撮影されたのか、どの静止画までが同じ動画撮影中に撮影されたのかを判別することができなかった。中には、動画再生中のその瞬間に静止画が撮影されたことを動画や音声等で判別できるカメラ装置があるが、このようなカメラ装置であっても、動画再生中のその瞬間にどの静止画が撮影されたのかを知る手段を有していなかった。
【０００５】
この点、上記した特許文献１に記載のカメラ装置でも、動画撮影中のそのタイミングに撮影された静止画の存在が把握できるのみで静止画自体を判別できるわけではなかった。
【０００６】
そこで、本発明は上記課題を解決するためになされたもので、動画撮影中に撮影された静止画を判別でき、かつ、動画撮影中に撮影された静止画の撮影タイミングを判別できるようにしたデジタルカメラ、ビデオカメラ等のカメラ装置を提供することを目的としている。
【課題を解決するための手段】
【０００７】
本発明のカメラ装置は、光学画像を取込み、動画データおよび静止画データを生成する画像データ生成手段と、該画像データ生成手段により生成された動画データに応じた動画および静止画データに応じた静止画を表示する画像表示手段とを備える。このカメラ装置は、画像データ生成手段により生成されている動画データから静止画データを動画撮影中に撮影された動画中静止画データとして取り出したときに、動画データと動画中静止画データとの対応を示し、動画データおよび動画中静止画データそれぞれの生成タイミングを特定可能な撮影管理情報を、動画データを含む動画ファイルおよび動画中静止画データを含む静止画ファイルにそれぞれ書き込む撮影管理情報書込手段と、動画ファイルおよび静止画ファイルに書き込まれた撮影管理情報に基づいて、動画データに応じた動画と動画中静止画データに応じた静止画とを区別可能にして画像表示手段に表示させる表示制御手段とを有することを特徴とする。
【発明の効果】
【０００８】
以上詳述したように、本発明によれば、動画撮影中に撮影された静止画の撮影タイミングを判別できると共に、動画撮影中に撮影された静止画を判別できるようにしたデジタルカメラ、ビデオカメラ等のカメラ装置が得られる。
【発明を実施するための最良の形態】
【０００９】
以下、図面を参照して本発明の好適な実施形態について詳細に説明する。なお、各図面において同一又は相当の部分に対しては同一の符号を附すこととする。
【００１０】
図１は、本発明の実施形態に係るカメラ装置の構成を示す回路図である。図１に示すカメラ装置１は、レンズモジュール１００、ＣＣＤ／ＣＤＳ／ＡＤＣモジュール（ＣＣＤ：Ｃｈａｒｇｅ  Ｃｏｕｐｌｅｄ  Ｄｅｖｉｃｅ、ＣＤＳ：Ｃｏｒｒｅｌａｔｅｄ  Ｄｏｕｂｌｅ  Ｓａｍｐｌｉｎｇ、ＡＤＣ：Ａｎａｌｏｇ  Ｄｉｇｉｔａｌ  Ｃｏｎｖｅｒｔｅｒ）１０１、カメラ信号処理回路１０２、ＪＰＥＧ圧縮伸張処理回路１０３、メモリ回路１０４、メモリカード１０５、ハードディスクドライブ１０６、ＭＰＥＧ圧縮伸張処理回路１０７、Ｖｉｄｅｏ／ＯＳＤ回路（ＯＳＤ：Ｏｎ  Ｓｃｒｅｅｎ  Ｄｉｓｐｌａｙ）１０８、ＬＣＤ（Ｌｉｑｕｉｄ  Ｃｒｙｓｔａｌ  Ｄｉｓｐｌａｙ）ドライバ１０９、ＬＣＤ１１０、およびＣＰＵ（Ｃｅｎｔｒａｌ  Ｐｒｏｃｅｓｓｉｎｇ  Ｕｎｉｔ）１１１を備えている。
【００１１】
レンズモジュール１００は、被写体の光学画像を結像してＣＣＤ／ＣＤＳ／ＡＤＣモジュール１０１に取り込む。ＣＣＤ／ＣＤＳ／ＡＤＣモジュール１０１は、結像された光学画像をＣＣＤによって受光し、ＣＤＳ／ＡＤＣを経てＡ／Ｄ変換されたデジタル信号を生成する。
【００１２】
カメラ信号処理回路１０２は、ＣＣＤ／ＣＤＳ／ＡＤＣモジュール１０１から入力されるデジタル信号に所定画像処理を施すことによって、動画データおよび静止画データを生成する。生成された動画データおよび静止画データは、メモリ回路１０４に一旦格納される。本実施形態では、レンズモジュール１００、ＣＣＤ／ＣＤＳ／ＡＤＣモジュール１０１、およびカメラ信号処理回路１０２は、本発明の画像データ生成手段として機能する。
【００１３】
ＪＰＥＧ圧縮伸張処理回路１０３は、カメラ信号処理回路１０２から受けた静止画データを圧縮することによって、圧縮静止画データを生成する。また、ＪＰＥＧ圧縮伸張処理回路１０３は、圧縮静止画データを伸張して、静止画データを再生する。圧縮静止画データおよび再生された静止画データは、メモリ回路１０４へ一旦格納される。本実施形態では、カメラ信号処理回路１０２およびＪＰＥＧ圧縮伸張処理回路１０３は、ＣＰＵ１１１内に構築されている。
【００１４】
ＭＰＥＧ圧縮伸張処理回路１０７は、カメラ信号処理回路１０２から受けた動画データを圧縮することによって、圧縮動画データを生成する。また、ＭＰＥＧ圧縮伸張処理回路１０７は、圧縮動画データを伸張して、動画データを再生する。圧縮動画データおよび再生された動画データは、メモリ回路１０４へ一旦格納される。
【００１５】
メモリ回路１０４は、上記した各種データを一時的に格納するワークメモリである。メモリ回路１０４には、ＣＰＵ１１１の指示にしたがい、圧縮動画データを含む動画ファイルおよび圧縮静止画データを含む静止画ファイルが形成される。
【００１６】
メモリカード１０５は、メモリ回路１０４に形成された動画ファイルおよび静止画ファイルを記録する。メモリカード１０５は、例えば、ＳＤメモリカード（Ｓｅｃｕｒｅ  Ｄｉｇｉｔａｌ  ｍｅｍｏｒｙ  ｃａｒｄ）などの外部記憶媒体である。同様に、ハードディスクドライブ１０６は、メモリ回路１０４に形成された動画ファイルおよび静止画ファイルを記録する。なお、メモリ回路１０４に形成された動画ファイルおよび静止画ファイルがメモリカード１０５に記憶されるかハードディスクドライブ１０６に記憶されるかは、ＣＰＵ１１１によって決定される。
【００１７】
Ｖｉｄｅｏ／ＯＳＤ回路１０８は、メモリ回路１０４に格納された動画データおよび静止画データをＬＣＤドライバ１０９へ出力する。また、Ｖｉｄｅｏ／ＯＳＤ回路１０８は、画像表示中にモニター調整用の画面表示のためのデータをＬＣＤドライバ１０９へ出力する。本実施形態では、Ｖｉｄｅｏ／ＯＳＤ回路１０８は、ＣＰＵ１１１内に構築されている。
【００１８】
ＬＣＤドライバ１０９は、Ｖｉｄｅｏ／ＯＳＤ回路１０８から受けた動画データおよび静止画データをＬＣＤ１１０のインターフェースに適合した表示信号に変換する。ＬＣＤ１１０は、ＬＣＤドライバ１０９から出力される表示信号を用いて動画データまたは静止画データに応じた動画および静止画を表示する。本実施形態では、ＬＣＤドライバ１０９およびＬＣＤ１１０は、本発明の画像表示手段として機能する。
【００１９】
ＣＰＵ１１１は、図示しないＲＯＭに記憶されているプログラムにしたがい本発明の特徴とする各種手段（撮影管理情報書込手段、表示制御手段、および画像再生制御手段）として作動する。また、ＣＰＵ１１１は、他の構成要素との信号の入出力を行い、カメラ装置１全体の動作制御や各シーケンスの制御を行う。
【００２０】
（カメラ装置１の動作概要）
次に、カメラ装置１の動作概要を説明する。動画撮影の場合、レンズモジュール１００を通過した光は、ＣＣＤ／ＣＤＳ／ＡＤＣモジュール１０１におけるＣＣＤにて受光され、ＣＤＳ／ＡＤＣを経てＡ／Ｄ変換される。ＣＣＤ／ＣＤＳ／ＡＤＣモジュール１０１から出力されるデジタル信号は、カメラ信号処理回路１０２による画像処理によって動画データに変換され、メモリ回路１０４に格納される。メモリ回路１０４に格納された動画データは、ＭＰＥＧ圧縮伸張処理回路１０７によって圧縮され、圧縮動画データが生成される。この圧縮動画データはメモリ回路１０４に格納される。
【００２１】
同様に、静止画撮影の場合、レンズモジュール１００、ＣＣＤ／ＣＤＳ／ＡＤＣモジュール１０１、およびカメラ信号処理回路１０２によって静止画データが生成され、メモリ回路１０４に格納される。メモリ回路１０４に格納された静止画データは、ＭＰＥＧ圧縮伸張処理回路１０７の代わりにＪＰＥＧ圧縮伸張処理回路１０３によって圧縮され、圧縮静止画データが生成される。この圧縮静止画データはメモリ回路１０４に格納される。
【００２２】
メモリ回路１０４では、ＣＰＵ１１１の指令にしたがって、圧縮静止画データを含む静止画ファイルが形成されると共に、圧縮動画データを含む動画ファイルが形成される。これらの静止画ファイルおよび動画ファイルは、メモリカード１０５またはハードディスクドライブ１０６に記録される。
【００２３】
また、動画撮影中に静止画撮影が行われた場合には、レンズモジュール１００、ＣＣＤ／ＣＤＳ／ＡＤＣモジュール１０１、およびカメラ信号処理回路１０２により生成されている動画データから静止画データが動画撮影中に撮影された動画中静止画データとして取り出され、メモリ回路１０４に格納される。以降の処理は、静止画撮影の場合と同様である。したがって、動画撮影中の静止画撮影の場合に生成される静止画ファイルは圧縮された動画中静止画データを含むこととなる。
【００２４】
このとき、メモリ回路１０４に格納された静止画データおよび動画データの各々は、Ｖｉｄｅｏ／ＯＳＤ回路１０８を介し、ＬＣＤドライバ１０９を経てＬＣＤ１１０に表示される。
【００２５】
静止画の再生時には、メモリカード１０５またはハードディスクドライブ１０６より読み出された静止画ファイルが、一旦メモリ回路１０４に保存され、ＪＰＥＧ圧縮伸張処理回路１０３を経て伸張され、静止画データまたは動画中静止画データが再生される。再生された静止画データまたは動画中静止画データは、Ｖｉｄｅｏ／ＯＳＤ回路１０８を介し、ＬＣＤドライバ１０９に出力され、それぞれに応じた静止画がＬＣＤ１１０に表示される。
【００２６】
一方、動画の再生時には、メモリカード１０５またはハードディスクドライブ１０６より読み出された圧縮動画データが、ＪＰＥＧ圧縮伸張処理回路１０３の代わりにＭＰＥＧ圧縮伸張処理回路１０７を経て伸張されて動画データが再生される点において、静止画の再生時と異なる。
【００２７】
（動画撮影中の静止画撮影）
次に、動画撮影中に静止画が撮影されるときのカメラ装置１の動作を説明する。図２は、動画撮影中に静止画が撮影されるときのカメラ装置の動作を示すフローチャートであり、図３は、静止画ファイルまたは動画ファイルの構成を示す図である。図３（ａ）には静止画ファイルの構成が示されており、図３（ｂ）には動画ファイルの構成が示されている。
【００２８】
従来のカメラ装置は、動画撮影中に静止画を撮影すると、静止画撮影処理を行い、その後、動画撮影状態に戻っていた。
【００２９】
本実施形態のカメラ装置１では、図２に示すように、動画撮影中（ステップＳ４０１）に静止画を撮影する際（ステップＳ４０２）、ＣＰＵ１１１が撮影管理情報書込手段として動作し、静止画撮影処理（ステップＳ４０３）の後、すなわち、レンズモジュール１００、ＣＣＤ／ＣＤＳ／ＡＤＣ１０１、およびカメラ信号処理回路１０２により生成されている動画データから静止画データを動画撮影中に撮影された動画中静止画データとして取り出した後、動画データと動画中静止画データとの対応を示す撮影管理情報を生成する。
【００３０】
その後、この撮影管理情報とは、動画データと動画中静止画データとの対応を示すと共に、動画データおよび動画中静止画データそれぞれの生成タイミングを特定可能な情報であり、本実施形態では、静止画ユニークナンバー、静止画撮影時間、静止画サムネイル情報、動画ユニークナンバー、動画チャプター番号などを含んでいる。ＣＰＵ１１１は、静止画ファイルに撮影管理情報を書き込む。具体的には、ＣＰＵ１１１は、図３（ａ）に示すように、静止画ファイルのヘッダ部に静止画ユニークナンバーを書き込むと共に、撮影中の元の動画ファイル情報を書き込む（ステップＳ４０４）。このとき、ＣＰＵ１１１は、動画ファイルにも撮影管理情報を書き込む。具体的には、ＣＰＵ１１１は、図３（ｂ）に示すように、動画ファイルのヘッダ部中に、動画ユニークナンバーに加えて、静止画ユニークナンバー、静止画撮影時間を書き込む（ステップＳ４０５）。
【００３１】
これによって、ファイル名の変更または削除などが行われても誤認識されないようにすることが可能となる。なお、静止画ファイルおよび動画ファイルは、互いのファイル名による管理でもよい。また、上記した全ての情報とファイル名との併用が更に望ましい。
【００３２】
次いで、動画チャプターが追加された場合には（ステップＳ４０６）、図３（ｂ）に示すように、ＣＰＵ１１１は、動画ファイルのヘッダに動画チャプター情報（例えば、動画チャプター番号）を書き込む（ステップＳ４０７）。情報の書き込みが終わったら動画撮影終了判定（ステップＳ４０８）を経て、動画撮影が終了しない場合には撮影状態（ステップＳ４０２）へ戻り、次の静止画撮影に備える。一方、Ｓｔｏｐボタンが押されるなどして、動画撮影が終了する場合には動画撮影を終了する（ステップＳ４０９）。
【００３３】
（動画再生および静止画再生）
次に、動画および静止画が再生されるときのカメラ装置１の動作について説明する。図４は、動画および静止画が再生されるときのカメラ装置の動作を示すフローチャートであり、図５は、動画ファイルまたは静止画ファイルの構成を示す図である。図５（ａ）には動画ファイルの構成が示されており、図５（ｂ）には静止画ファイルの構成が示されている。また、図６は、ＬＣＤによる表示画面の遷移を示す図であり、図７は、ＬＣＤによる静止画表示とチャプター表示との一覧表示画面を示す図である。
【００３４】
従来のカメラ装置では、再生モードで選択された画像が静止画か動画かを判定し、その判定結果にしたがって、静止画表示または動画表示を行う。また、Ｗｉｄｅキーが押されるとサムネイル表示が行われるにすぎなかった。
【００３５】
本実施形態のカメラ装置１では、図４に示すように、再生モード（ステップＳ５０１）でＷｉｄｅキーの操作がなく（ステップＳ５０２）、次の画像へ移ると（ステップＳ５０３）、ＣＰＵ１１１が表示制御手段として動作し、該当する静止画ファイルのヘッダ内に動画撮影中に静止画の撮影が行われたことを示す情報、すなわち撮影管理情報が存在するかを検索する（ステップＳ５０４）。静止画ファイルのヘッダ内に同時撮影された元の動画ユニークナンバーＤが存在する場合、ＣＰＵ１１１は、図６の表示６０１に示すように、静止画ファイルと共に動画ユニークナンバーＤをＬＣＤ１１０に表示させ（ステップＳ５０７）、ステップＳ５０２へ戻る。このとき、動画ユニークナンバーＤの変わりに、動画ファイルのファイル名や動画チャプター番号といった動画に関する情報を表示してもよい。
【００３６】
一方、静止画ファイルに撮影管理情報が存在しない場合、ＣＰＵ１１１は、動画ファイルに同時撮影された静止画の情報、すなわち撮影管理情報があるかを検索し（ステップＳ５０５）、動画ファイルのヘッダ中に同時撮影された静止画の静止画ユニークナンバーなどがある場合には、ステップＳ５１３へ処理を進める。一方、動画ファイルのヘッダ中に静止画ユニークナンバーなどがなく（ステップＳ５０５）、さらに自身が動画ファイルではなく静止画であると判定された場合には（ステップＳ５０６）、図６の表示６０２，６０３に示すように、通常の静止画表示が行われ（ステップＳ５０８）、自身が静止画でなく動画であると判定された場合には（ステップＳ５０６）、通常の動画表示が行われる（ステップＳ５０９）。
【００３７】
次に、図６の表示６０１，６０２，６０３に示されるように、通常表示状態（ステップＳ５０１）でＷｉｄｅキーが押下されると（ステップＳ５０２）、ＣＰＵ１１１が画像一覧表示制御手段として動作し、表示されていた画像が静止画で、静止画ファイルのヘッダ中に撮影管理情報があるかを検索する（ステップＳ５１０）。次いで、静止画ファイルのヘッダ中に動画ユニークナンバーがなく、表示されていたファイルが動画で、ヘッダ中に静止画ユニークナンバーがない場合には（ステップＳ５１２）、図６の表示６０４に示されるように、通常のサムネイル一覧表示が行われる（ステップＳ５２６）。
【００３８】
一方、ステップＳ５１０において、表示されていた画像が静止画で、静止画ファイルのヘッダ中に、動画ユニークナンバーがある場合には、ＣＰＵ１１１は、ヘッダ情報内の元動画ファイルが存在するかを検索し（ステップＳ５１１）、元動画ファイルが存在する場合には動画中静止画としてステップＳ５１３へ移行し、元動画ファイルが存在しない場合には通常のサムネイル一覧表示（ステップＳ５２６）となる。また、ステップ５１２において、表示されていたファイルが動画でヘッダ中に静止画ユニークナンバーがあった場合、ステップ５１３へ進む。
【００３９】
次いで、ＣＰＵ１１１は、図５（ａ）に示すような動画ファイルのヘッダから静止画ユニークナンバーを読み出し（ステップＳ５１３）、この静止画ユニークナンバーに基づいて図５（ｂ）に示すような該当する静止画ファイルを検索すると共に、動画チャプターから該当する動画チャプターを検索し（ステップＳ５１４）、動画ファイルと同時撮影の静止画ファイルが存在するかを検索する（ステップＳ５１５）。動画ファイルと同時撮影の静止画ファイルが存在する場合、ＣＰＵ１１１は、該当する静止画ファイルを読み出していく（ステップＳ５１６）。一方、動画ファイルと同時撮影の静止画ファイルが存在しない場合には、ＣＰＵ１１１は、動画ファイルに動画チャプター情報が存在するか否かを検索し（ステップＳ５２３）、動画ファイルに動画チャプター情報が存在する場合には、該当するサムネイル情報を読み出し（ステップＳ５２４）、動画チャプター情報が存在しない場合には、ステップＳ５１７へ進む。
【００４０】
次いで、ＣＰＵ１１１は、動画ファイルの撮影管理情報が示す全静止画ファイルおよび全動画チャプターを読み出すまで、ステップＳ５１４，Ｓ５１５，Ｓ５１６，Ｓ５２３，５２４の処理を繰り返す。全静止画ファイルおよび動画チャプターの読み出しが終了した後（ステップＳ５１７）、全静止画ファイルおよび全動画チャプターの読み出しが失敗した場合には（ステップＳ５１８）、動画撮影中に静止画を撮影しなかったとみなし、通常のサムネイル表示（ステップＳ５２６）に移行する。それ以外の場合、ＣＰＵ１１１は、読み出した静止画ファイルおよび動画チャプターを、撮影管理情報に基づいて時系列で並べ、タイムテーブルと対応させ（ステップＳ５１９）、図６の表示６０５，６０６，６０７に示すように、動画、および、動画中静止画データを特定するための静止画表示と各動画チャプターを特定するためのチャプター表示との一覧表示モードに移行する（ステップＳ５２０）。静止画表示とチャプター表示との一覧表示モードの詳細については、後述する。
【００４１】
この一覧表示モードでＷｉｄｅキーが押された場合、図６の表示６０４に示すように、通常のサムネイル一覧表示（ステップＳ５２６）へ移行する。また、次の画像に移ると（ステップＳ５２２）、動画と同時に撮影した最後の静止画の次の画像が選択され、ステップＳ５０４へ戻る（ステップＳ５２５）。
【００４２】
続いて、図７を参照し、静止画表示Ｂａとチャプター表示Ｂｂとの一覧表示について説明する。図７では、動画表示Ａにおいて右隣には、その動画撮影中に撮影された静止画Ｂ３，Ｂ４による静止画表示Ｂａとその再生される動画とが表示され、その動画チャプターＢ２，Ｂ５によるチャプター表示Ｂｂが表示されている。
【００４３】
本実施形態では、静止画表示中の静止画Ｂ３，Ｂ４とチャプター表示中の動画チャプターＢ２，Ｂ５とが組み合わされて、上から撮影時間順に並んで表示されている。動画チャプターＢ２，Ｂ５と静止画Ｂ３，Ｂ４とは、その画像の枠の色が異なっており、それによって両者が区別可能に表示されている。また、動画表示Ａにおいて下隣には、撮影管理情報に基づいて、タイミング特定表示が表示されている。タイミング特定表示とは、動画データの生成時間中における動画中静止画データの生成タイミングを特定可能な表示であり、本実施形態では、タイムバーＣが表示されている。このタイムバーＣ中には、左から撮影時間順に、動画チャプターＢ２，Ｂ５および静止画Ｂ３，Ｂ４の各々に対応した動画チャプターの時間を表すアイコンＣ２，Ｃ５と静止画の撮影時間を表すアイコンＣ３，Ｃ４が表示されている。これらの動画チャプターのアイコンＣ２，Ｃ５と静止画のアイコンＣ３，Ｃ４とは、動画チャプターＢ２，Ｂ５および静止画Ｂ３，Ｂ４と同様に、色が異なっており、区別して表示されている。このように、選択中の静止画Ｂ３のアイコンＣ３がタイムバー上で示されるため、時間軸の把握が容易である。
【００４４】
再び、図６を参照する。動画および静止画表示Ｂａとチャプター表示Ｂｂとの一覧表示の状態では、動画ファイル自体および動画撮影中に撮影した静止画をＪＯＧダイヤルなどにより選択可能となっている。まず、動画および静止画選択表示中に（表示６０５）、動画Ａを選択した状態で通常の再生動作などを行った場合、動画Ａが画面いっぱいに再生される。
【００４５】
次に、動画から動画チャプターおよび静止画一覧状態へカーソルを移動させると（表示６０６，６０７）、動画チャプターおよび動画撮影中の静止画が選択可能になる。静止画一覧から目的の動画チャプターまたは静止画を選択し、静止画再生を行った場合、該当の静止画が画面いっぱいに表示される（表示６０８）。なお、ＣＰＵ１１１が画像再生制御手段として動作し、動画チャプターが選択されたときには、この動画チャプターに応じた動画を一時停止状態でＬＣＤ１１０に再生表示させてもよい。
【００４６】
同様に動画再生を行った場合、ＣＰＵ１１１が画像再生制御手段として動作し、動画チャプターが選択された場合に、この動画チャプターのタイミングから動画をＬＣＤ１１１に再生表示させると共に、静止画が選択された場合には、この静止画の撮影タイミングから動画をＬＣＤ１１１に再生表示させる。具体的には、ＣＰＵ１１１は、選択された静止画に対応する動画中静止画データの生成タイミングに応じた動画をＬＣＤ１１１に再生表示させる（表示６０９）。
【００４７】
動画撮影中に撮影した静止画ではない静止画の場合、Ｗｉｄｅキーにてサムネイル一覧表示となる（表示６０４）。また、動画および静止画表示Ｂａとチャプター表示Ｂｂとの一覧表示（表示６０５，６０６，６０７）からＷｉｄｅキーを押しても同様にサムネイル一覧表示に移行する（表示６０４）。サムネイル一覧表示で動画撮影中に撮影した静止画が選択された場合、静止画撮影を途中で行った動画ファイルが選択されてＴｅｌｅキーが押された場合は上記した動画および静止画表示Ｂａとチャプター表示Ｂｂとの一覧表示に移行する（表示６０５，６０６，６０７）。
【００４８】
図１２は、従来のカメラ装置におけるＬＣＤによる表示画面の遷移を示す図である。図１２に示すように、従来のカメラ装置の再生モードでは、動画とこの動画撮影中に撮影した静止画とが順に表示されるだけであった。また、サムネイル一覧表示でも、動画とこの動画撮影中に撮影した静止画とが単純に時系列的に並んでいるだけであった。そのために、どのファイルが動画撮影中の静止画なのか、どのタイミングで撮影された静止画なのか、などの情報を読み取ることが不可能であった。
【００４９】
しかしながら、本実施形態のカメラ装置１によれば、動画撮影中に静止画が撮影された場合に、ＣＰＵ１１１が撮影管理情報書込手段として動作して、上記の撮影管理情報を、動画ファイルおよび動画中静止画データを含む静止画ファイルにそれぞれ書き込むようになっている。また、ＣＰＵ１１１が表示制御手段として動作して、撮影管理情報に基づいて、動画データに応じた動画と動画中静止画データに応じた静止画とを互いに区別可能にすると共に時系列順に、動画と共にＬＣＤ１１０に表示させる。したがって、どの瞬間にどの静止画が撮影されたのか、どの静止画が動画撮影中に撮影されたのかを視覚的に把握可能となり、動画撮影中に静止画を大量に撮影しても管理が簡単になり、ユーザの利便性を大幅に向上することができる。
【００５０】
また、本実施形態のカメラ装置１によれば、動画データが複数の動画チャプターに分割されているときに、ＣＰＵ１１１が表示制御手段として動作して、動画中静止画データを特定するための静止画表示Ｂａと各動画チャプターを特定するためのチャプター表示Ｂｂとを組み合わせて時系列順にＬＣＤ１１０に表示させるので（図６参照）、動画に対する静止画の撮影タイミングをより把握しやすくすることができる。
【００５１】
また、本実施形態のカメラ装置１によれば、ＣＰＵ１１１が表示制御手段として動作して、撮影管理情報に基づいて、動画データの生成時間中における動画中静止画データの生成タイミングを特定可能なタイミング特定表示としてのタイムバーＣをＬＣＤ１１０に表示させるので、時間軸の把握が容易であり、それぞれの静止画がどのタイミングで撮影されたかを一目でより把握しやすくすることができる。
【００５２】
また、本実施形態のカメラ装置１では、ＣＰＵ１１１が画像再生制御手段として動作し、ＬＣＤ１１０に表示されているチャプター表示に基づいて、いずれかの動画チャプターが選択されたときに、この動画チャプターに応じた動画を一時停止状態で再生させる。また、ＣＰＵ１１１が画像再生制御手段として動作し、ＬＣＤ１１０に表示されている静止画表示Ｂａに基づいて、いずれかの動画中静止画が選択されたときに、この動画中静止画データの生成タイミングに応じた動画を再生させる。これによって、本実施形態のカメラ装置１によれば、ユーザの利便性を向上することができる。
【００５３】
なお、本発明は上記した本実施形態に限定されることなく種々の変形が可能である。
【００５４】
（変形例１）
本実施形態では、ＣＰＵ１１１（撮影管理情報書込手段）は、動画表示Ａを縮小表示し、動画表示Ａにおける右隣に、その動画撮影時に撮影された静止画Ｂ３，Ｂ４による静止画表示Ｂａと再生される動画の動画チャプターＢ２，Ｂ５によるチャプター表示Ｂｂとを組み合わせて表示し、動画表示Ａにおける下隣に、タイムバーＣを表示したが、動画表示Ａ、動画チャプターＢ２，Ｂ５、静止画Ｂ３，Ｂ４、およびタイムバーＣのレイアウトは本実施形態に限られるものではない。図８は、変形例１に係るカメラ装置におけるＬＣＤによる静止画表示とチャプター表示との表示画面を示す図である。例えば、図８に示すように、ＣＰＵ１１１（撮影管理情報書込手段）は、動画表示Ａを縮小表示せずに、動画表示Ａにオーバーレイさせるように、静止画Ｂ３，Ｂ４による静止画表示Ｂｂと動画チャプターＢ２，Ｂ５によるチャプター表示Ｂｂとを組み合わせて時系列順に並べて表示すると共に、タイムバーＣを表示してもよい。本変形例１でも、本実施形態と同様の利点を得ることができる。
【００５５】
（変形例２）
図９および図１０は、変形例２に係るカメラ装置におけるＬＣＤによる静止画表示とチャプター表示との表示画面を示す図である。図９および図１０に示すように、変形例２では、ＣＰＵ１１１（撮影管理情報書込手段）は、静止画Ｂ３，Ｂ４による静止画表示Ｂａが、動画チャプターＢ２による従来のようなチャプター一覧表示Ｂｂ中に組み合わせて時系列順に並べてＬＣＤ１１０に表示させる。また、ＣＰＵ１１１（撮影管理情報書込手段）は、動画Ａに代えて、静止画ファイルに書き込まれた撮影管理情報に対応する対応動画ファイルに関する動画ファイル関連情報をＬＣＤ１１０に表示させる。変形例２では、動画ファイル関連情報として、動画に対する静止画の撮影時間Ｅが静止画表示とチャプター表示との表示部の下方に表示されている。なお、動画ファイル関連情報は、動画ファイル名、動画ユニークナンバーなどでもよい。本変形例２でも、本実施形態と同様の利点を得ることができる。
【００５６】
図１１は、変形例２に係るカメラ装置におけるＬＣＤによる表示画面の遷移を示す図である。図１１では、図６における画面表示６０６に代えて図９の画面表示１１０１が表示され、画面表示６０７に代えて図１０の画面表示１１０２が表示される。他の画面表示は同一である。
【００５７】
従来のカメラ装置では、動画選択時にＴキーを押すと動画チャプター選択画面となるが、変形例２のように、これを拡張し、静止画ファイルの選択も同様に表示させることも可能である（表示１１０１，１１０２）。変形例２のカメラ装置では、動画チャプターでＯＫキーを押すと従来と同じく該当箇所から動画再生が開始される（表示６０９）が、静止画の場合は該当箇所からの動画再生（表示６０９）もしくは静止画の拡大表示（表示６０８）のどちらかを選択することが可能となっていることが特徴である。これにより、動画撮影中の静止画撮影のタイミングも動画チャプターと同じように使用することが可能となり、ユーザの利便性は大幅に向上する。
【００５８】
ここで重要なのは静止画撮影のタイミングで動画チャプター情報を作成するわけではない、ということである。もちろん、静止画撮影のタイミングで動画チャプターを単純に入れる方式は実現も容易であるが、動画チャプターを扱うことのできる他の機器へ動画データをコピーするなどした場合に、使用者の意図しないチャプターデータがそこに存在することになってしまう。チャプターは基本的にユーザによって入れるのが望ましいとした場合、上記の方式は望ましくない状態となる。
【００５９】
そこで、静止画撮影タイミングは動画チャプターとは別で扱うことにより、本機能を搭載した機器でのみ動画撮影中の静止画一覧表示機能および動画再生位置選択機能が使用でき、この機能を搭載しない他の機器で同じファイルを使用した場合の影響を最小限に抑えることが可能となるのである。
【００６０】
また、図１１にあるようなユーザーインターフェースにて動画のサムネイル画像を選択可能にした場合、チャプター情報位置をサムネイルにすることと同様に静止画ファイル位置を指定することで、静止画を撮影した時点での画像をサムネイル画像として指定することが可能となる。静止画を撮影した瞬間は動画ファイルの中でも特に注目するべきタイミングであることが多いため、この機能はサムネイル画像指定において有効に機能する。
【００６１】
本実施形態では、撮影管理情報は、動画ファイルおよび静止画ファイルに書き込まれて動画ファイルおよび静止画ファイルと共に管理されるが、撮影管理情報は、動画ファイルや静止画ファイルとは別の管理用ファイルに書き込まれて動画ファイルや静止画ファイルと別に管理されてもよい。
【図面の簡単な説明】
【００６２】
【図１】本発明の実施形態に係るカメラ装置の構成を示す回路図である。
【図２】動画撮影中に静止画が撮影されるときのカメラ装置の動作を示すフローチャートである。
【図３】静止画ファイルまたは動画ファイルの構成を示す図である。
【図４】動画および静止画が再生されるときのカメラ装置の動作を示すフローチャートである。
【図５】動画ファイルまたは静止画ファイルの構成を示す図である。
【図６】ＬＣＤによる表示画面の遷移を示す図である。
【図７】ＬＣＤによる静止画表示とチャプター表示との表示画面を示す図である。
【図８】変形例１に係るカメラ装置におけるＬＣＤによる静止画表示とチャプター表示との表示画面を示す図である。
【図９】変形例２に係るカメラ装置におけるＬＣＤによる静止画表示とチャプター表示との表示画面を示す図である。
【図１０】変形例２に係るカメラ装置におけるＬＣＤによる静止画表示とチャプター表示との表示画面を示す図である。
【図１１】変形例２に係るカメラ装置におけるＬＣＤによる表示画面の遷移を示す図である。
【図１２】従来のカメラ装置におけるＬＣＤによる表示画面の遷移を示す図である。
【符号の説明】
【００６３】
１…カメラ装置、１００…レンズモジュール、１０１…ＣＣＤ／ＣＤＳ／ＡＤＣモジュール、１０２…カメラ信号処理回路、（１００，１０１，１０２…画像データ生成手段）、１０３…ＪＰＥＧ圧縮伸張処理回路、１０４…メモリ回路、１０５…メモリカード、１０６…ハードディスクドライブ、１０７…ＭＰＥＧ圧縮伸張処理回路、１０８…Ｖｉｄｅｏ／ＯＳＤ回路、１０９…ＬＣＤドライバ、１１０…ＬＣＤ（画像表示手段）、１１１…ＣＰＵ（撮影管理情報書込手段、表示制御手段、画像再生制御手段）。
【図１】
2008010979.tif 000003
【図２】
2008010979.tif 000004
【図３】
2008010979.tif 000005
【図４】
2008010979.tif 000006
【図５】
2008010979.tif 000007
【図６】
2008010979.tif 000008
【図７】
2008010979.tif 000009
【図８】
2008010979.tif 000010
【図９】
2008010979.tif 000011
【図１０】
2008010979.tif 000012
【図１１】
2008010979.tif 000013
【図１２】
2008010979.tif 000014